(57)【特許請求の範囲】
【請求項１】
少なくとも、光源の発光動作に伴う被写体からの反射光を受光する調光用受光センサを含み、該調光用受光センサによる前記反射光の受光量に基づいて前記光源の発光動作を制御する発光制御手段と、他の装置の発光を受光する起動用受光センサを含み、該起動用受光センサによる前記他の装置の発光を検知して前記光源のトリガ回路を動作させる発光開始手段とを備えた自動調光ストロボ装置であって、前記起動用受光センサを前記光源の発光をも受光できる位置に配置して当該起動用受光センサの受光出力により前記発光制御手段への駆動電源の供給を開始できるようになすと共に、前記発光制御手段の動作時には前記発光開始手段の動作を阻止し、かつ前記発光開始手段の動作時には前記駆動電源の前記発光制御手段への供給状態にかかわらず前記発光制御手段の動作を阻止する制御手段を備えたことを特徴とする自動調光ストロボ装置。
【請求項２】
制御手段は、発光制御手段と該発光制御手段の駆動電源との間に配置され、起動用受光センサの受光出力にて動作することにより前記駆動電源を前記発光制御手段に供給する状態を設定するスイッチ手段と、前記発光制御手段の動作時に前記起動用受光センサの受光出力によるトリガ回路の動作を阻止すると共に、前記発光開始手段の動作時に前記発光制御手段を前記スイッチ手段の動作状態にかかわらず非動作状態に制御する動作阻止手段とを含んでなる請求項１記載の自動調光ストロボ装置。
【発明の詳細な説明】
【０００１】
【発明の属する技術分野】
本発明は、少なくとも、被写体からの反射光を受光して光源の発光動作を制御する発光制御手段と、他のストロボ装置の発光を検知して自身の発光動作を開始させる発光開始手段とを備えた自動調光ストロボ装置に関し、特に、上記発光制御手段への駆動電源の供給構成に特徴を有するものである。
【０００２】
【従来の技術】
従来より、被写体からの反射光を受光する調光用受光センサを含む測光部およびこの測光部の出力により光源の発光動作を制御する制御部からなり、上記反射光の受光量に基づいて発光動作を制御する発光制御手段を備えたいわゆる自動調光ストロボ装置は種々のものが周知であり、また、近年においては、他のストロボ装置の発光を検知して自身の発光動作を開始させる発光開始手段を備えた自動調光ストロボ装置も実用化されてきている。
【０００３】
加えて、上述した発光制御手段への駆動電源の供給構成についても、通常自身が発光していない時に他のストロボ装置の発光に伴う被写体からの反射光を受光して動作しないように配慮された供給構成が種々知られている。
例えば実公昭５９−４３６７８号公報には、自身の発光動作に同期して初めて駆動電源電圧が供給されるように形成された図２に示したような発光制御手段への駆動電源供給構成を備えた電子閃光装置が開示されている。
【０００４】
図２の構成について簡単に述べると、まず、ＤＣーＤＣコンバータ回路や積層電源等である図示していない直流高圧電源より端子Ａ、Ｂ間に直流高電圧が供給されると、主コンデンサ１が充電されることになり、同時にコンデンサ５、９も抵抗６，７，８のそれぞれの抵抗値およびツェナーダイオード１０のブレークオーバー電圧にて規定される電圧値に充電されることになる。
【０００５】
上記主コンデンサ１等の充電がなされた状態で周知のトリガ回路２が動作すると、光源である閃光放電管３は励起され、よって、閃光放電管３が励起されることにより主コンデンサ１の充電電荷を消費して発光することになると同時に、コンデンサ５の充電電荷が、閃光放電管３、コンデンサ９の充電電圧を規定するツェナーダイオード１０、抵抗８，７の経路で放電されることになる。
【０００６】
このため、閃光放電管３よりその発光光が図示していない被写体に向けて射出されることになると共に、コンデンサ５の放電による抵抗８の降下電圧にてトランジスタ１１が導通することになり、該トランジスタ１１の導通によりコンデンサ９の充電電荷が当該トランジスタ１１を介して発光制御手段４に駆動電源として供給されることになる。
【０００７】
すなわち、発光制御手段４にはトリガ回路２による閃光放電管３の励起動作が行われて閃光放電管３が発光動作を開始しない限り駆動電源となるコンデンサ９の充電電荷が供給されることはなく、この結果、発光制御手段４は、自身が発光しない時に他のストロボ装置の発光に伴う被写体からの反射光に応答して動作することはない。
【０００８】
【発明が解決しようとする課題】
しかしながら、上述したような発光制御手段４へのコンデンサ９の充電電荷の供給動作を微視的に見てみると、依然として以下のような不都合点がある。
例えば発光制御手段４への駆動電源、すなわちコンデンサ９の充電電荷の供給時期についてみてみると、上述した供給動作はコンデンサ５の閃光放電管３を介しての放電動作、いわゆる過渡現象を含んだ動作を経て行われることから、閃光放電管３のトリガ回路２による励起がなされてから実際に発光を開始するまでの特性、並びに抵抗７，８の抵抗値比に大きく影響を受けることになり、換言すれば上記供給時期は上記閃光放電管３および上記抵抗７，８の個々の特性によって大きく影響を受けることになる。
【０００９】
このため、上記閃光放電管３および抵抗７，８に存在する例えば抵抗値等の製造上のばらつきを考慮すると、閃光放電管３の発光動作を基準にした上記供給時期は、個々のストロボ装置間で容易に変動することが考えられ、一方、発光制御手段４への駆動電源の供給時期のばらつきは、以降の閃光放電管３の発光動作の制御により設定される発光量がばらつく恐れがあることに他ならず、この結果、上述した発光制御手段４への駆動電源の供給構成は高精度の発光制御という観点においては不利となる不都合点を有していた。
【００１０】
また、発光制御手段４への駆動電源の供給を行う上記コンデンサ５の閃光放電管３を介しての放電動作、それに伴うトランジスタ１１の導通動作等は、トリガ回路２による閃光放電管３の励起動作に同期して開始され、よってともすれば発光制御手段４がトリガ回路２の動作により生じるトリガノイズの影響を受けて誤動作する恐れを有することになる不都合点も有していた。
【００１１】
本発明は上述したような不都合点を考慮してなしたもので、発光制御手段への駆動電源の供給時期を閃光放電管である光源の発光開始に完全に同期させることにより、上記供給時期を個々のストロボ装置においてばらつくことなく高精度に制御でき、よって発光制御手段による閃光放電管の発光制御により設定される発光量を高精度に、かつトリガノイズの影響を受けることなく設定・制御することができる自動調光ストロボ装置を提供することを目的とする。
【００１２】
【課題を解決するための手段】
この課題を解決するために本発明は、少なくとも、光源の発光動作に伴う被写体からの反射光を受光する調光用受光センサを含み、該調光用受光センサによる上記反射光の受光量に基づいて上記光源の発光動作を制御する発光制御手段と、他の装置の発光を受光する起動用受光センサを含み、該起動用受光センサによる上記他の装置の発光を検知して上記光源のトリガ回路を動作させる発光開始手段とを備えた自動調光ストロボ装置であって、上記起動用受光センサを上記光源の発光をも受光できる位置に配置して当該起動用受光センサの受光出力により上記発光制御手段への駆動電源の供給を開始できるようになすと共に、上記発光制御手段の動作時には上記発光開始手段の動作を阻止し、かつ上記発光開始手段の動作時には上記駆動電源の上記発光制御手段への供給状態にかかわらず上記発光制御手段の動作を阻止する制御手段を備えて上記自動調光ストロボ装置を構成したものである。
【００１３】
これにより、発光制御手段への駆動電源の供給動作が自身の光源の実際の発光動作に完全に同期して開始されることになり、このため上記駆動電源の供給時期を個々のストロボ装置においてばらつくことなく高精度に制御でき、この結果、発光制御手段による閃光放電管の発光制御により設定される発光量を高精度に、かつトリガノイズの影響を受けることなく設定・制御することができる自動調光ストロボ装置を提供できることになる。
【００１４】
【発明の実施の形態】
本発明の請求項１に記載の発明は、少なくとも、光源の発光動作に伴う被写体からの反射光を受光する調光用受光センサを含み、該調光用受光センサによる上記反射光の受光量に基づいて上記光源の発光動作を制御する発光制御手段と、他の装置の発光を受光する起動用受光センサを含み、該起動用受光センサによる上記他の装置の発光を検知して上記光源のトリガ回路を動作させる発光開始手段とを備えた自動調光ストロボ装置であって、上記起動用受光センサを上記光源の発光をも受光できる位置に配置して当該起動用受光センサの受光出力により上記発光制御手段への駆動電源の供給を開始できるようになすと共に、上記発光制御手段の動作時には上記発光開始手段の動作を阻止し、かつ上記発光開始手段の動作時には上記駆動電源の上記発光制御手段への供給状態にかかわらず上記発光制御手段の動作を阻止する制御手段を備えて自動調光ストロボ装置を構成したものであり、これにより、発光制御手段への駆動電源の供給動作を、自身の光源の実際の発光動作を完全に同期して開始でき、このため上記駆動電源の供給時期を個々のストロボ装置においてばらつくことなく高精度に制御できることになる作用を有する。
【００１５】
本発明の請求項２に記載の発明は、請求項１記載の自動調光ストロボに装置における制御手段を、発光制御手段と該発光制御手段の駆動電源との間に配置され、起動用受光センサの受光出力にて動作することにより前記駆動電源を上記発光制御手段に供給する状態を設定するスイッチ手段と、上記発光制御手段の動作時に上記起動用受光センサの受光出力によるトリガ回路の動作を阻止すると共に、上記発光開始手段の動作時に前記発光制御手段を上記スイッチ手段の動作状態にかかわらず非動作状態に制御する動作阻止手段とを含んで構成したものであり、上記請求項１に記載の発明と同様の作用を有する。
【００１６】
以下、本発明の実施の形態について図面を用いて説明する。
（実施の形態１）
図１は、本発明による自動調光ストロボ装置の一実施の形態を示す電気回路図であり、図中、図２と同図番の構成は同一機能構成を示している。
なお、本実施の形態は、発光動作状態として、発光動作に対して何等の制御も行わないマニュアル状態、被写体からの反射光を受光して発光動作を制御するいわゆるオート状態、および他のストロボ装置の発光を検知して自身の発光動作を行ういわゆるスレーブ状態の３種の発光動作状態を設定できるものとする。
【００１７】
本実施の形態の主コンデンサ１は、電源スイッチ１３の閉成により動作を開始し、供給される直流低圧電源１２の端子電圧を昇圧するＤＣーＤＣコンバータ回路１４の出力にてダイオード１５を介して充電されるようになされている。
直流低圧電源１２の両端には、後述する発光制御手段１８の駆動電源となるコンデンサ１７がダイオード１６を介して接続されている。
【００１８】
図番１８は、閃光放電管３の発光に伴う図示していない被写体からの反射光に基づいて閃光放電管３の発光動作を制御する発光制御手段を示し、上記反射光を受光する調光用受光センサ２０、積分コンデンサ２１、抵抗２２，２３，２４および該積分コンデンサ２１の充電状態に応じてオン・オフ動作が制御されるスイッチ素子であるトランジスタ２５等からなる測光部１９と、例えば閃光放電管３と直列接続されてオン・オフ動作する絶縁ゲート型バイポーラトランジスタである制御スイッチ素子２７、該制御スイッチ素子２７の動作を制御するトランジスタ２８、抵抗２９，３０およびトランジスタ２５の動作に応答して動作してトランジスタ２８の動作を制御するＳＣＲ３１等からなる制御部２６から構成されている。
【００１９】
図番３２は、閃光放電管３を励起するためのトリガ回路を示し、トリガコンデンサ３３、トリガトランス３４、ＳＣＲ３５、ダイオード１６、抵抗３８を介して充電されＳＣＲ３５の駆動系を構成するコンデンサ３６、トランジスタ３７、抵抗３９，４０，４１およびシンクロ接点４２等から構成されている。
図番４３は、抵抗４４とツェナーダイオード４５とからなり、制御スイッチ素子２７の動作電圧を供給する駆動回路を示している。
【００２０】
図番４６は、駆動電源であるコンデンサ１７と発光制御手段１８との間に接続され、後述する起動用受光センサ５０の受光出力にて動作することによりコンデンサ１７の充電電荷を発光制御手段１８へ供給する状態を設定するスイッチ手段を示し、トランジスタ４７、抵抗４８等から構成されている。
図番４９は、図示していない他のストロボ装置の発光光あるいは閃光放電管３の発光光を受光できるように図示していない本発明による自動調光ストロボ装置の外部筐体上に配置された起動用受光センサ５０、およびトリガ回路３２のＳＣＲ３５のゲートと接続され、該起動用受光センサ５０が発光光を受光した時にそのことを示す光電変換信号を出力する出力端子５１ａを備えた光電変換回路５１とからなる発光開始手段を示している。
【００２１】
図番５２は、前述したオート状態、マニュアル状態、およびスレーブ状態の３種を選択・設定するための動作状態設定手段を示し、グランドＧと接続される接片５３ａ、該接片５３ａとオート状態時に接続される電気的に浮いた接点５３ｂ、マニュアル状態時に接続されるＳＣＲ３１のゲートと接続された接点５３ｃ、スレーブ状態時に接続されるコンデンサ３６の高電位側と接続される接点５３ｄを備えた例えば手動で操作される操作スイッチ５３および接点５３ｃと接点５３ｄとを順方向に接続するダイオード５４とを含んで構成されている。
【００２２】
図番５５は、発光開始手段４９および動作状態設定手段５２の動作に基づいてスイッチ手段４６とトリガ回路３２の動作を制御する制御回路を示し、光電変換回路５１が出力する光電変換出力を受けてオンしてスイッチ手段４６のトランジスタ４７をオン状態に制御するトランジスタ５６、およびその主極間が光電変換回路５１の出力端子５１ａとグランドＧ間に、またその制御極が接点５３ｄと夫々接続され、スレーブ状態時のみオフ状態となって上記光電変換出力のトリガ回路３２への供給を許容するトランジスタ５７等を含んで構成されている。
【００２３】
次に、上記のような構成を備えた本実施の形態の自動調光ストロボ装置における発光制御動作等について説明する。
なお、説明の便宜上、動作説明は発光動作状態毎に行い、まず、動作状態設定手段５２の操作スイッチ５３の接片５３ａを接点５３ｂに接続したオート状態を設定した場合について述べる。
【００２４】
今、電源スイッチ１３が閉成されると、直流低圧電源１２がＤＣーＤＣコンバータ回路１４に供給されることから、該ＤＣーＤＣコンバータ回路１４が動作を開始し、よって直流低圧電源１２の端子電圧を昇圧した高電圧にて主コンデンサ１並びにトリガコンデンサ３３が充電され、同時に駆動回路４３を介して制御スイッチ素子２７のゲートに駆動電圧が供給される。
【００２５】
また直流低圧電源１２が電源スイッチ１３、ダイオード１６を介してコンデンサ１７に供給されることになり、かかるコンデンサ１７も充電される。
さらに、オート状態であり接点５３ｂが電気的に浮いていることからコンデンサ３６の高電位側端子も電源スイッチ１３を介して直流低圧電源１２と接続されることになり、よって当該コンデンサ３６も充電されることになる。
【００２６】
なお、コンデンサ３６の高電位側端子は抵抗５８、５９を介してトランジスタ５７のベースと接続されており、よって、コンデンサ３６がある程度まで充電されるとトランジスタ５７は導通可能状態になされることになる。
上記各コンデンサの充電がなされた状態においてシンクロ接点４２が閉成されると、コンデンサ３６の充電電荷が抵抗３９、シンクロ接点４２を介して放出されることから該抵抗３９に生じる降下電圧にてトランジスタ３７が導通状態となり、さらにこのトランジスタ３７の導通により上記コンデンサ３６の充電電荷がトランジスタ３７、抵抗４０，４１を介して放出され、この抵抗４１に生じる降下電圧にてＳＣＲ３１が導通することになる。
【００２７】
ＳＣＲ３１が導通するとトリガコンデンサ３３の充電電荷が、ＳＣＲ３１、トリガトランス３４を介して放出され、トリガトランス３４が発生する高電圧にて閃光放電管３が励起され、これにより閃光放電管３は主コンデンサ１の充電電荷を消費して発光し、その発光光を被写体に向けて射出することになる。
同時に閃光放電管３の発光光は起動用受光センサ５０にて受光され、よって光電変換回路５１はその出力端子５１ａより光電変換出力を出力し、これによりトランジスタ５６を導通させる。
【００２８】
この時、出力端子５１ａから出力される光電変換出力はトリガ回路３２のＳＣＲ３５のゲートにも伝達されようとするが、オート状態であり先にも述べたようにトランジスタ５７が導通可能状態になされていることから該トランジスタ５７を介してグランドＧに側路され、すなわち上記光電変換出力がトリガ回路３２を動作させることはない。
【００２９】
さて、トランジスタ５６が導通するとスイッチ手段４６のトランジスタ４７も導通し、これによりコンデンサ１７の充電電荷が上記トランジスタ４７を介して発光制御手段１８の測光部１９に駆動電源として供給されることになる。
すなわち、本実施の形態においては、閃光放電管３が実際に発光すると同時に発光制御手段１８に駆動電源が供給されることにより測光部１９が動作状態となり、図示していない被写体からの反射光が調光用受光センサ２０にて受光され、その受光量に応じて積分コンデンサ２１が充電されることになる。
【００３０】
積分コンデンサ２１の充電電圧値があらかじめ設定してある所定電圧値に達すると、トランジスタ２５が導通し、直流低圧電源１２、ダイオード１６、トランジスタ４７，２５、抵抗２３，２９，３０の経路で電流が流れ、制御部２６のトランジスタ２８およびＳＣＲ３１が導通することになる。
トランジスタ２８が導通すると制御スイッチ素子２７のゲート〜カソード間が短絡されることから制御スイッチ素子２７が非導通状態となり、これにより閃光放電管３の発光が停止することになる。
【００３１】
この時、制御スイッチ素子２７のコレクタ電位は急激に上昇し、その後徐々に０レベルまで低下することになるが、かかる過程においてＳＣＲ３１は図番を付していない抵抗を介してトランジスタ２８のベース電流を流し、該トランジスタ２８の導通をコレクタ電位がほぼ０レベルに低下するまで維持し、これにより制御スイッチ素子２７も非導通状態を維持することになる。
【００３２】
以後、上記コレクタ電位がなくなるとＳＣＲ３１は非導通状態に復帰し、制御スイッチ素子２７のゲート〜カソード間の短絡が解除され、装置はトリガ回路３２が動作する前の初期状態に復帰する。
また、制御スイッチ素子２７が非導通状態になることにより閃光放電管３の発光が停止すると、起動用受光センサ５０による受光もなくなり、よって光電変換回路５１の出力端子５１ａからの出力がなくなることから、トランジスタ５６およびスイッチ手段４６のトランジスタ４７が非導通状態に復帰し、これによりコンデンサ１７の充電電荷の発光制御手段１８へ供給も停止されることになる。
【００３３】
次に、動作状態設定手段５２の操作スイッチ５３の接片５３ａを接点５３ｃに接続したマニュアル状態を設定した場合について述べる。
この場合、図１からも明らかであるが、上述したオート状態と異なることになる構成は、上記接片５３ａと接点５３ｃとの接続により制御部２６のＳＣＲ３１のゲートがグランドＧと接続される点だけである。
【００３４】
したがって、トリガ回路２の動作により閃光放電管３が発光し、その発光光が起動用受光センサ５０にて受光されることによりスイッチ手段４６のトランジスタ４７が導通し、図示していない被写体からの反射光を調光用受光センサ２０が受光することにより測光部１９のトランジスタ２５が導通したとしても、ＳＣＲ３１は導通状態になされることはない。
【００３５】
すなわち、操作スイッチ５３の接片５３ａが接点５３ｃに接続されたマニュアル状態においては、ＳＣＲ３１が導通状態となりトランジスタ２８を導通させて制御スイッチ素子２７のゲート〜カソード間を短絡するという制御部２６の動作が行われることはなく、この結果、閃光放電管３は発光を開始するとその発光動作が途中で制御されることはなく、主コンデンサ１の充電電荷を消費するまでその発光を継続することになる。
【００３６】
なお、かかるマニュアル状態においても先のオート状態時と同様、コンデンサ３６によりトランジスタ５７が導通可能状態になされており、よって光電変換回路５１の出力端子５１ａから起動用受光センサ５０の受光に伴い出力される光電変換出力がトリガ回路３２のＳＣＲ３５のゲートに供給されることはない。
最後に、動作状態設定手段５２の操作スイッチ５３の接片５３ａを接点５３ｄに接続したスレーブ状態を設定した場合について述べる。
【００３７】
この場合も、図１からも明らかなように、制御部２６のＳＣＲ３１のゲートがグランドＧと接続される点についてはダイオード５４を介しているがマニュアル時と同様であり、よって、光電変換回路５１、測光部１９等が動作してもＳＣＲ３１を含む制御部２６の動作が行われることはなく、閃光放電管３は発光すると主コンデンサ１の充電電荷を消費するまでその発光を継続することになる。
【００３８】
しかしながら、先のオート状態およびマニュアル状態とは異なり、コンデンサ３６の高電位側端子が抵抗５８と操作スイッチ５３の接片５２ａと接点５３ｄとを介してグランドＧと接続されることになり、よって電源スイッチ１３の閉成時、上記コンデンサ３６は、オート状態およびマニュアル状態とは異なり、抵抗３８と抵抗５８の夫々の抵抗値の比に基づいて充電されることになり、また既に充電されている場合、抵抗５８を介して上記抵抗値比に基づいた電圧値となるようにその充電電荷が放出されることになる。
【００３９】
このため、上記コンデンサ３６の抵抗３８と抵抗５８の抵抗値比に基づいた充電電圧値が、シンクロスイッチ４２を閉成してもトランジスタ３７を導通させられない電圧値、あるいはトランジスタ３７は導通させられるものの、その時さらに抵抗４０，４１で分圧された電圧値がＳＣＲ３５のゲート電圧よりも低電圧値となるように上記抵抗４０と抵抗４１の夫々の抵抗値の比を設定・制御することにより、上記シンクロスイッチ４２の閉成によりトリガ回路３２が動作しない状態を設定することができ、もちろん本実施の形態もそのようになしている。
【００４０】
すなわち、スレーブ状態時、本実施の形態における自動調光ストロボ装置はシンクロ接点４２の閉成ではトリガ回路３２を動作させることができない。
また、トランジスタ５７のベースも図番を付していない抵抗と先の接片５３ａと接点５３ｄとを介してグランドＧと接続されることになり、よって該トランジスタ５７も導通状態になされることなく非導通状態に維持されることになる。
【００４１】
この結果、先のオート状態およびマニュアル状態時とは異なり、起動用受光センサ５０が他のストロボ装置の発光光を受光して光電変換回路５１がその出力端子５１ａより光電変換出力を出力すると、当該光電変換出力はダイオード６０を介してトリガ回路３２のＳＣＲ３５のゲートに供給されることになり、当該ＳＣＲ３５を導通させることになる。
【００４２】
トリガ回路３２のＳＣＲ３５が導通すると、トリガコンデンサ３３の放電に伴い閃光放電管３の励起動作がなされることは前述のオート状態時に説明した通りであり、これにより閃光放電管３は発光することになる。
なお、かかるスレーブ状態時における閃光放電管３の発光動作は、先にも述べたように、制御部２６のＳＣＲ３１のゲートがグランドＧと接続され、光電変換回路５１、測光部１９等が動作しても当該制御部２６の動作が行われないことから主コンデンサ１の充電電荷を消費するまでその発光を継続する動作となる。
【００４３】
【発明の効果】
本発明による自動調光ストロボ装置は、他の装置の発光に応答して光源のトリガ回路を動作させるために他の装置の発光を受光する起動用受光センサを自身の光源の発光をも受光できる位置に配置し、当該起動用受光センサの受光出力により発光制御手段への駆動電源の供給を開始していることから、発光制御手段への駆動電源の供給動作を自身の光源の実際の発光動作に完全に同期して開始できることになり、このため上記駆動電源の供給時期を個々のストロボ装置においてばらつくことなく高精度に制御でき、この結果、発光制御手段の動作により設定される発光量を高精度、かつトリガノイズの影響を受けることなく設定・制御することができる効果を有している。
【図面の簡単な説明】
【図１】本発明による自動調光ストロボ装置の一実施の形態を示す電気回路図
【図２】実公昭５９−４３６７８号公報に記載された電子閃光装置の電気回路図
【符号の説明】
１  主コンデンサ
３  閃光放電管
１２  直流低圧電源
１３  電源スイッチ
１４  ＤＣ−ＤＣコンバータ回路
１５  ダイオード
１６  ダイオード
１７  コンデンサ
１８  発光制御手段
１９  測光部
２０  調光用受光センサ
２１  積分コンデンサ
２２  抵抗
２３  抵抗
２４  抵抗
２５  トランジスタ
２６  制御部
２７  制御スイッチ素子
２８  トランジスタ
２９  抵抗
３０  抵抗
３１  ＳＣＲ
３２  トリガ回路
３３  トリガコンデンサ
３４  トリガトランス
３５  ＳＣＲ
３６  コンデンサ
３７  トランジスタ
３８  抵抗
３９  抵抗
４０  抵抗
４１  抵抗
４２  シンクロ接点
４３  駆動回路
４４  抵抗
４５  ツェナーダイオード
４６  スイッチ手段
４７  トランジスタ
４８  抵抗
４９  発光開始手段
５０  起動用受光センサ
５１  光電変換回路
５２  動作状態設定手段
５３  操作スイッチ
５４  ダイオード
５５  制御回路
５６  トランジスタ
５７  トランジスタ
５８  抵抗
５９  抵抗
６０  ダイオード
【図１】
0003950187.tif 000002
【図２】
0003950187.tif 000003